(57)【要約】【課題】多層記録型の光学式記録媒体に対するデータ記録の準備時間の短縮を図る。【解決手段】光ディスクに設けられた２つの記録層Ｌ０，Ｌ１のうち、記録層Ｌ０については、テスト領域への記録マークの試し書き及びその書き込まれた記録マークの再生結果の評価を通じて行われるオプティマム・パワー・キャリブレーションにて、最適記録パワーＯＰ０を測定して求める。一方、記録層Ｌ１については、フォーカスサーチ時のＦＥ信号の両記録層Ｌ０，Ｌ１でのＳカーブの振幅の比（ａ／ｂ）に上記測定された記録層Ｌ０の最適記録パワーＯＰ０を乗算して、その最適記録パワーＯＰ１を算出して求める。【選択図】      図１１
2005267809.tif 000002
【特許請求の範囲】
【請求項１】
それぞれ反射膜上に形成された第１及び第２の記録層の設けられた光学式記録媒体に対してその記録層にレーザー光を集光させてデータを記録させるとともに、両記録層からの反射光を受光して電気信号に変換して出力する受光素子を備える光学式データ記録装置において、
前記両記録層の最適記録パワーを求めるに際して、
前記第１の記録層については、当該記録層へのデータ記録の試行及びその記録されたデータの再生結果の評価を通じて前記最適記録パワーを測定して求め、
前記第２の記録層については、前記両記録層からの反射光をそれぞれ受光したときの前記受光素子の出力パターンの偏差、及び前記第１の記録層についての前記最適記録パワーとに基づき当該記録層についての前記最適記録パワーを算出して求める
ことを特徴とする光学式データ記録装置。
【請求項２】
前記出力パターンとして、フォーカスサーチに際しての前記受光素子の出力から得られるフォーカッシング誤差信号を用いる請求項１に記載の光学式データ記録装置。
【請求項３】
前記第１の記録層での前記フォーカッシング誤差信号の振幅に対する前記第２の記録層でのフォーカッシング誤差信号の振幅との比を、前記測定された前記第１の記録層についての前記最適記録パワーに乗算して前記第２の記録層についての前記最適記録パワーを算出する請求項２に記載の光学式データ記録装置。
【請求項４】
前記出力パターンとして、前記両記録層にそれぞれ記録されたデータの再生に際しての前記受光素子の出力振幅を用いる請求項１に記載の光学式データ記録装置。
【請求項５】
前記第１の記録層での前記出力振幅に対する前記第２の記録層での前記出力振幅との比を、前記測定された前記第１の記録層についての前記最適記録パワーに乗算して前記第２の記録層についての前記最適記録パワーを算出する請求項４に記載の光学式データ記録装置。
【発明の詳細な説明】
【技術分野】
【０００１】
本発明は、複数の記録層の設けられた光学式記録媒体にデータを記録させる光学式データ記録装置に関する。
【背景技術】
【０００２】
例えばＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｋ）といった光ディスク等の光学式記録媒体にデータを記録させる光学式データ記録装置では、光源から照射されたレーザー光を記録媒体の記録層に集光させてその記録層に相変化や発熱分解を生じさせることで記録媒体へのデータ記録を行っている。こうした光学式データ記録装置では、記録媒体のカバー層の厚さのばらつき等の影響で集光スポットの径が変化して、記録時のレーザー光の出力に過不足が生じてしまい、データ記録品質の低下を招くことがある。そのため光学式データ記録装置では、データ記録開始時に、記録時のレーザー光の出力（記録パワー）の最適化、いわゆるオプティマム・パワー・キャリブレーション（ＯＰＣ）を行うようにしている。
【０００３】
記録型光ディスクでの上記ＯＰＣは、次の手順で行われている。
（１）光ディスクのテストエリアやパワーキャリブレーションエリアの記録層に、レーザー光の出力を順次変化させながらテスト用の記録マークを書き込む。
（２）書き込まれたテスト用の記録マークを読み込み、記録時のレーザー光の出力毎にデータの記録品質を評価する。なおこのときの記録品質の評価は、例えばアシメントリー（ベータ）やエラーレート、ジッター等をその評価の指標値として行われる。
（３）上記評価の結果から最適な記録品質の得られるレーザー光の出力を求め、それを最適記録パワーとして設定する。
【０００４】
ところで近年、データ記憶容量の高密度化を図るべく、特許文献１，２に見られるような記憶層を多層構造とした多層記録型の光学式記憶媒体が提案されており、例えば２層記録型の光ディスクとしては、２層ＤＶＤ＋Ｒ規格、２層ＤＶＤ−Ｒ規格の実用化が進められている。こうした多層記録型の光学式記録媒体では、各記録層での反射率や上記最適記録パワーが同一となるように設計されている。
【特許文献１】特開２００３−３４６３７９号公報
【特許文献２】特開２００３−５９０９２号公報
【発明の開示】
【発明が解決しようとする課題】
【０００５】
しかしながら、記録装置の光ピックアップのビーム形状の影響や上記スペーサー層の厚みのばらつきの影響で球面収差が発生して、集光スポットでの中心光強度や光密度が記録層毎に変わってしまうため、高い記録品質を確保するには、記録層毎に記録パワーを個別調整する必要がある。そのため結局のところ、多層記録型の光学記録媒体へのデータ記録に際しては、上記ＯＰＣを記録層毎に個別に行わなければならず、データ記録の準備時間の長期化は避けられないものとなっている。こうした問題は、記録層の積層数が増やされる毎により深刻なものとなる。
【０００６】
本発明の解決しようとする課題は、多層記録型の光学式記録媒体に対するデータ記録の準備時間の短縮を図ることにある。
【課題を解決するための手段】
【０００７】
以下、上記課題を解決するための手段、及びその作用効果を記載する。
【０００８】
請求項１に記載の発明は、それぞれ反射膜上に形成された第１及び第２の記録層の設けられた光学式記録媒体に対してその記録層にレーザー光を集光させてデータを記録させるとともに、両記録層からの反射光を受光して電気信号に変換して出力する受光素子を備える光学式データ記録装置において、前記両記録層の最適記録パワーを求めるに際して、前記第１の記録層については、当該記録層へのデータ記録の試行及びその記録されたデータの再生結果の評価を通じて前記最適記録パワーを測定して求め、前記第２の記録層については、前記両記録層からの反射光をそれぞれ受光したときの前記受光素子の出力パターンの偏差、及び前記第１の記録層についての前記最適記録パワーとに基づき当該記録層についての前記最適記録パワーを算出して求めることをその要旨とする。
【０００９】
球面収差の発生等により、各記録層における集光スポットでの中心光強度や光密度に偏差が生じると、データ記録に際してのレーザー光出力の最適値、すなわち最適記録パワーに記録層毎の偏差が生じるようになる。一方、集光スポットでの中心光強度や光密度が記録層により異なれば、各記録層からの反射光を受光したときの受光素子の出力パターンにも偏差が生じる。そのため、記録層毎の受光素子の出力パターンの偏差から、記録層毎の最適記録パワーに偏差を求めることができる。
【００１０】
両記録層の最適記録パワーの偏差が求まれば、一方の記録層の最適記録パワーの絶対値からもう一方の記録層の最適記録パワーの絶対値を求めることができる。よって上記両記録層での受光素子の出力パターンの偏差と、第１の記録層についての最適記録パワーとが求まっていれば、記録層へのデータ記録の試行及びその記録されたデータの再生結果の評価を通じた最適記録パワーの測定、すなわちＯＰＣを行わずとも、第２の記録層についての最適記録パワーを求めることができる。
【００１１】
ここで上記構成では、第１の記録層についてのみ上記ＯＰＣを行って最適記録パワーを測定して求めるようにしている。そして第２の記録層については、ＯＰＣを行うことなく、上記受光素子の出力パターンの偏差及びＯＰＣにて測定された第１の記録層についての最適記録パワーに基づき、算出して求めるようにしている。したがって上記構成によれば、光学式記録媒体に積層された複数の記録層のうち、少なくとも１つについてはＯＰＣを省略することができ、データ記録の準備時間を短縮することができる。
【００１２】
請求項２に記載の発明は、請求項１に記載の光学式データ記録装置において、前記出力パターンとして、フォーカスサーチに際しての前記受光素子の出力から得られるフォーカッシング誤差信号を用いることをその要旨とする。
【００１３】
請求項２に記載の発明は、請求項１に記載の光学式データ記録装置において、前記出力パターンとして、フォーカスサーチに際しての前記受光素子の出力から得られるフォーカッシング誤差信号を用いることをその要旨とする。
【００１４】
集光スポットの中心光強度や光密度に記録層毎の偏差が生じると、フォーカスサーチに際しての受光素子の出力から得られるフォーカッシング誤差信号、いわゆるＦＥ信号の出力パターンにも記録層毎に偏差が生じるようになる。そのため、フォーカスサーチに際しての受光素子の出力から得られるフォーカッシング誤差信号について、その記録層毎の偏差に基づくことで、記録層毎の最適記録パワーの偏差を求めることができる。
【００１５】
請求項３に記載の発明は、請求項２に記載の光学式データ記録装置において、前記第１の記録層での前記フォーカッシング誤差信号の振幅に対する前記第２の記録層でのフォーカッシング誤差信号の振幅との比を、前記測定された前記第１の記録層についての前記最
適記録パワーに乗算して前記第２の記録層についての前記最適記録パワーを算出することをその要旨とする。
【００１６】
受光素子の出力が、受光した反射光の中心光強度や光密度に比例するとすれば、フォーカスサーチ時の記録層間の合焦点前後におけるフォーカッシング誤差信号の振幅の比は、記録層間の最適記録パワーの比に概ね比例することになる。したがって上記構成のように、第１の記録層についての最適記録パワーに、そうした振幅の比を乗算することで、第２の記録層についての最適記録パワーを算出することができる。
【００１７】
請求項４に記載の発明は、請求項１に記載の光学式データ記録装置において、前記出力パターンとして、前記両記録層にそれぞれ記録されたデータの再生に際しての前記受光素子の出力振幅を用いる請求項１に記載の光学式データ記録装置。
【００１８】
集光スポットの中心光強度や光密度に記録層毎の偏差が生じると、記録層上の記録マークの有無に応じた受光素子の出力（例えばＲＦ信号）の波形振幅に偏差が生じるようになる。そのため、データ再生時の受光素子の出力振幅の偏差から、記録層毎の最適記録パワーの偏差を求め、上記第２の記録層についての最適記録パワーを算出することができる。
【００１９】
請求項５に記載の発明は、請求項４に記載の光学式データ記録装置において、前記第１の記録層での前記出力振幅に対する前記第２の記録層での前記出力振幅との比を、前記測定された前記第１の記録層についての前記最適記録パワーに乗算して前記第２の記録層についての前記最適記録パワーを算出することをその要旨とする。
【００２０】
受光素子の出力が、受光した反射光の中心光強度や光密度に比例するとすれば、上記データ再生時の受光素子の出力振幅は、記録層間の最適記録パワーの比に概ね比例するようになる。したがって上記構成のように、第１の記録層についての最適記録パワーに、そうした振幅の比を乗算することで、第２の記録層についての最適記録パワーを算出することができる。
【発明の効果】
【００２１】
本発明によれば、光学式記録媒体に積層された複数の記録層の最適記録パワーを求める際に、少なくとも１つの記録層についてはオプティマム・パワー・キャリブレーションを省略可能となり、その分データ記録の準備時間の短縮を図ることができる。
【発明を実施するための最良の形態】
【００２２】
以下、本発明の光学式データ記録装置を具体化した一実施形態を、図１〜図１１を参照して詳細に説明する。本実施形態の光学式データ記録装置は、２つの記録層が積層された２層記録型の光ディスクＯＤに対するデータの記録・再生を行う装置として構成されている。
【００２３】
図１に、そうした２層記録型光ディスクにおける層構造の一例を示す。この光ディスクは、読み取り面側から順に、カバー層、記録層Ｌ０（レイヤー０）、スペーサー層、記録層Ｌ１（レイヤー１）が積層されている。読み取り面から見て手前側の記録層Ｌ０は、奥側の記録層Ｌ１へのレーザー光の透過を許容するため、金や誘電体等からなる半透明反射膜上に形成されている。一方、読み取り面から見て奥側の記録層Ｌ１は、単層記録型の光ディスクの記録層と同様のアルミ等からなる全反射膜に形成されている。また記録層Ｌ０と記録層Ｌ１とを分離させるスペーサー層は、例えば紫外線硬化型樹脂材料のような、読込時のレーザー光波長での透過率が高く、且つ屈折率がカバー層と同程度の材料で形成されている。
【００２４】
図２に、上記２層記録型光ディスクでの記録領域配置の一例を示す。なお同図に例示された記録領域配置は、２層ＤＶＤ＋Ｒ規格に採用されている。
【００２５】
同図に示すように光ディスクの内周部には、上記ＯＰＣのようなデータの書き込みテストに使用されるテスト領域、及びディスク情報領域が配置されている。ちなみに記録層Ｌ０のディスク情報領域はリードイン領域とされ、記録層Ｌ１のディスク情報領域は、リードアウト領域とされている。光ディスクの外周部には、上記と同様のテスト領域、及び記録層Ｌ０，Ｌ１管のフォーカスジャンプ（焦点移動）を行うためのミドル領域が配置されている。そしてそうした内周部と外周部との間の領域が、ユーザーがデータを記録可能なデータ領域とされている。
【００２６】
図３に、本実施形態の光学式データ記録装置の構成を示す。同図に示すように本実施形態の光学式データ記録装置は、光ピックアップ１０、ＲＦアンプ２０、コントローラ２１、レンズ駆動回路２２、送りモータ２３、信号処理回路２４及びレーザー駆動回路２５を備えて構成されている。コントローラ２１、信号処理回路２４及びレーザー駆動回路２５は、制御ラインで電気的に接続されており、互いに信号の授受を行っている。また信号処理回路２４は、インターフェースを通じて外部と接続されており、そのインターフェースを通じてデータ信号が入・出力されるようになっている。
【００２７】
光ピックアップ１０は、レーザー光を発生するレーザー素子１１、そのレーザー光を光ディスクＯＤの各記録層Ｌ０，Ｌ１に集光させる、対物レンズ１２、及び受光素子１３を備えている。受光素子１３は、各記録層Ｌ０，Ｌ１からの反射光を受光して電気信号に変換し、ＲＦアンプ２０に出力する。
【００２８】
ＲＦアンプ２０は、受光素子１３の電気信号から、フォーカッシング誤差信号（ＦＥ信号）及びトラッキング誤差信号（ＴＥ信号）を生成して、コントローラ２１に出力する。ここで生成されるＦＥ信号からは、記録層Ｌ０，Ｌ１に対するレーザー光の焦点位置のずれ度合が把握され、ＴＥ信号からは、記録層Ｌ０，Ｌ１における集光スポットのトラッキングのずれ度合が把握されるようになっている。またＲＦアンプ２０は、上記受光素子１３の電気信号を増幅してＲＦ信号（Ｒａｄｉｏ  Ｆｒｅｑｅｎｃｙ信号）を生成し、信号処理回路２４に出力する。
【００２９】
コントローラ２１は、上記ＦＥ信号及びＴＥ信号に基づき、各誤差の補償に必要な対物レンズ１２の変位量を演算し、その演算結果に基づきレンズ駆動回路２２に指令する。またコントローラ２１は、上記フォーカスジャンプやフォーカスサーチに際してのフォーカス移動に係る対物レンズ１２の変位についてもレンズ駆動回路２２に指令する。レンズ駆動回路２２は、そうしたコントローラ２１の指令に基づき、フォーカッシング調整軌道上（光ディスクＯＤの読み取り面に垂直方向）及びトラッキング調整軌道上（光ディスクＯＤの径方向）に対物レンズ１２を変位させる。
【００３０】
更にコントローラ２１は、送りモータ２３を制御して、データの記録・再生を行う光ディスクＯＤの記録位置（アドレス）へと光ピックアップ１０を移動させる。更にコントローラ２１は、データの記録・再生時のレーザー光の出力や波形を演算し、その結果に基づきレーザー駆動回路２５に指令する。
【００３１】
信号処理回路２４は、上記ＲＦアンプ２０から入力されたＲＦ信号のデコードと、上記インターフェースを通じて外部から入力されたデータ信号のエンコードとを行う。またレーザー駆動回路２５は、上記コントローラ２１からの指令等に基づき、要求される出力・波形のレーザー光をレーザー素子１１から照射させる。
【００３２】
光ディスクＯＤへのデータの記録時には、信号処理回路２４は、外部から入力されたデ
ータ信号のエンコードを行い、エンコーダ信号としてレーザー駆動回路２５に出力する。レーザー駆動回路２５は、このエンコーダ信号及び上記コントローラ２１からの指令に基づきレーザー素子１１から発生されるレーザー光の出力・波形を制御して、光ディスクＯＤの記録層に記録マークを書き込ませる。これにより、外部からデータ信号として入力されたデータが光ディスクＯＤに記録される。
【００３３】
一方、光ディスクＯＤに記録されたデータの再生時には、レーザー駆動回路２５は、上記コントローラ２１からの指令に基づきレーザー素子１１を制御して、データ再生に必要な出力・波長のレーザー光を発生させる。このときの記録層からの反射光の光強度は、記録層の記録マークの有無に応じて変化する。光ピックアップ１０の受光素子１３は、そうした反射光を受光して、その光強度の変化に応じて増減する電気信号を出力する。この電気信号は、ＲＦアンプ２０により増幅され、ＲＦ信号として信号処理回路２４に送られる。信号処理回路２４は、ＲＦ信号の波形整形及びデコードを行ってデータ信号を再生し、その再生されたデータ信号を外部に出力する。
【００３４】
続いて、以上のように構成された光学式データ記録装置において、光ディスクＯＤが挿入されたときに実施される起動処理について説明する。起動処理では、各記録層Ｌ０，Ｌ１のフォーカスサーチが行われるとともに、それらの最適記録パワーが求められる。
【００３５】
ここではまず、本実施形態でのフォーカスサーチの態様を説明する。フォーカスサーチは、上記ＲＦアンプ２０の生成するフォーカッシング誤差信号（ＦＥ信号）に基づき行われる。本実施形態の光学式データ記録装置では、フォーカッシング誤差、すなわち記録層に集光されたレーザー光の焦点位置のずれを、非点収差法を用いて検出するようにしている。
【００３６】
図４（ａ）に、本実施形態の光学データ記録装置の光ピックアップ１０の反射光の検出に係る構造を示す。同図に示すように光ピックアップ１０の記録層から受光素子１３に至る光路には、上記対物レンズ１２の他、１／４波長板１４、コリメータレンズ１５、偏光ビームスプリッタ１６及びセンサレンズ１７が配設されている。記録層からの反射光は、対物レンズ１２を介して１／４波長板１４に入射され、ここで円位相から直線偏光に変換された後、偏光ビームスプリッタ１６にて反射される。この反射光は、円筒レンズとしての機能を有するセンサレンズ１７にて受光素子１３に集光される。
【００３７】
本実施形態の光学式データ記録装置では、受光素子１３の受光面は、図４（ｂ）に示すような４つの部分Ａ〜Ｄに分割されている。受光素子１３は、分割された受光面の各部分Ａ〜Ｄ毎に、入射された反射光の光量に応じた電圧を発生し、ＲＦアンプ２０に出力する。ＲＦアンプ２０は、受光素子１３の受光面の各部分Ａ〜Ｄについてそれらの対角方向の差動出力（Ａ＋Ｃ−Ｂ−Ｄ）を上記ＦＥ信号として出力する。
【００３８】
ここで受光素子１３の受光面での反射光の像は、上記センサレンズ１７の円筒レンズとしての働きにより、記録層に対して照射光の焦点位置が合った状態では、図５（ｂ）に示すような円形となる。一方、焦点位置が合焦点よりも近いときには、図５（ａ）に示すような上記受光面の部分Ｂ、Ｄ方向に延びた長円形となり、また焦点位置が合焦点よりも遠いときには、図５（ｃ）に示すような上記受光面の部分Ａ、Ｃ方向に延びた長円形となる。そのため焦点位置の変化に対してＦＥ信号レベル（電圧）は、合焦点よりも近いときには正、遠いときには負となり、また合焦点では０となる、図６に示すようなＳカーブと呼ばれる出力パターンを示す。
【００３９】
上記フォーカスサーチは、対物レンズ１２と光ディスクＯＤの読み取り面との相対距離を順次変化させながら上記ＦＥ信号を測定することで行われる。そしてこのときのＦＥ信
号の推移から、各記録層Ｌ０，Ｌ１の合焦点位置が求められている。図７は、そうしたフォーカスサーチ中でのＦＥ信号の出力パターンの一例を示している。同図に示すように、２層記録式の光ディスクＯＤでは、フォーカスサーチ中に、各記録層Ｌ０，Ｌ１にそれぞれ対応した２つのＳカーブが出力されるようになる。
【００４０】
本実施形態では、そうしたフォーカスサーチ中のＦＥ信号における記録層Ｌ０のＳカーブの振幅ａと記録層Ｌ１のＳカーブの振幅ｂとの比から、両記録層Ｌ０，Ｌ１の最適記録パワーの比を求めている。その原理は、以下の通りである。
【００４１】
上記スペーサー層の厚みのばらつき等による球面収差の影響で、図８（ａ）に破線で示すように記録層Ｌ１での集光スポットの径が拡ってしまうと、同図（ｂ）に破線で示すように記録層Ｌ１での集光スポットの中心光強度や光密度が低下してしまう。そしてこれに伴い、記録層Ｌ１で反射されて受光素子１３の受光面の各部分Ａ〜Ｄに入射される反射光の中心光強度、光密度も低下する。そのため、集光スポットの径の拡大とともに、受光素子１３の受光面の各部分Ａ〜Ｄからの出力電圧が低下して、上記Ｓカーブの振幅が小さくなるようになる。
【００４２】
ここで受光面の各部分Ａ〜Ｄの出力電圧が、入射された反射光の中心光強度や光密度に比例するとすれば、上記Ｓカーブの振幅は、焦点スポットの中心光強度や光密度に比例する。そのため、このときの同一レーザー出力での両記録層Ｌ０，Ｌ１での集光スポットの中心光強度の比及び光密度の比は、両記録層Ｌ０，Ｌ１の上記Ｓカーブの振幅ａ，ｂの比とほぼ等しくなる。そこで、集光スポットの中心光強度及び光密度がそれぞれ最適値となったときの両記録層Ｌ０，Ｌ１の記録パワー、すなわち最適記録パワーをそれぞれＯＰ０、ＯＰ１とすれば、それらの最適記録パワーＯＰ０，ＯＰ１と上記振幅ａ，ｂとの間に、次式（１）の関係が得られることになる。
ＯＰ０×ａ＝ＯＰ１×ｂ      ・・・（１）
したがって両記録層Ｌ０，Ｌ１の上記Ｓカーブの振幅ａ，ｂの比から、両記録層Ｌ０，Ｌ１の最適記録パワーＯＰ０，ＯＰ１の比を求めることができる。こうして両記録層Ｌ０，Ｌ１の最適記録パワーＯＰ０，ＯＰ１の比が求まれば、いずれか一方の記録層についての最適記録パワーの絶対値さえ確認すれば、もう一方の記録層での最適記録パワーの絶対値は、上式（１）の関係から導き出せるようになる。例えば記録層Ｌ０の最適記録パワーＯＰ０が得られれば、記録層Ｌ１の最適記録パワーＯＰ１は、次式（２）から求められるようになる。
ＯＰ１＝ＯＰ０×ａ／ｂ      ・・・（２）
そこで本実施形態の起動処理では、まず上記フォーカスサーチを行って両記録層Ｌ０，Ｌ１の上記Ｓカーブの振幅の比（ａ／ｂ）を検出するようにしている。そして記録層Ｌ０についてのみ、上記ＯＰＣ、すなわちデータ記録の試行及びその記録されたデータの再生結果の評価を通じた最適記録パワーＯＰ０の測定を行い、記録層Ｌ１の最適記録パワーＯＰ１については、その測定結果及び上記検出したＳカーブの振幅の比（ａ／ｂ）に基づき、上式（２）の関係から算出して求めるようにしている。
【００４３】
なお本実施形態の光学式データ記録装置は、そうした起動処理での記録層Ｌ０に対する上記ＯＰＣを次の態様で実施している。まず図９に示すように、記録層Ｌ０のテスト領域において、記録位置（アドレス）毎に記録パワーを段階的に変化させながら、テスト用の記録マークの書き込みを行う。その後、書き込まれたテスト用の記録マークの読み込みを行い、記録パワー毎の記録マークのアシメントリー（記録マークとランドとの長さの偏差
［％］、βともいう）を測定する。そしてその測定結果から求められる図１０に示されるような記録パワーと上記βとの関係から、βの値が最適値βｏｐとなる記録パワーを求め、その求められた値を記録層Ｌ０の最適記録パワーＯＰ０として設定する。
【００４４】
図１１は、こうした本実施形態の光学式データ記録装置の起動処理における上記コントローラ２１の処理手順を示したフローチャートである。
【００４５】
同図に示すように、コントローラ２１は、光ディスクＯＤの挿入が確認されると（Ｓ１００）、光ピックアップ１０を光ディスクＯＤの内周部（例えばディスク情報領域）に移動させる（Ｓ１１０）。そしてコントローラ２１は、その移動先で上記フォーカスサーチを実施し、そのときのＦＥ信号から両記録層Ｌ０，Ｌ１のＳカーブの振幅ａ，ｂを測定する（Ｓ１２０）。
【００４６】
続いてコントローラ２１は、光ピックアップ１０を光ディスクＯＤの内周側のテスト領域に移動させ（Ｓ１３０）、そこで記録層Ｌ０のＯＰＣを実施して、同記録層Ｌ０の最適記録パワーＯＰ０を測定して求める（Ｓ１４０）。そしてコントローラ２１は、それら測定された両記録層Ｌ０，Ｌ１のＳカーブの振幅ａ，ｂの比及び記録層Ｌ０の最適記録パワーＯＰ０とに基づき、上式（２）に従って、記録層Ｌ１の最適記録パワーＯＰ１を算出して求める。
【００４７】
その後、コントローラ２１は、ここでそれぞれ求められた最適記録パワーＯＰ０，ＯＰ１に基づいてレーザー光の出力を制御して、各記録層Ｌ０，Ｌ１へのデータ記録を行うことになる。
【００４８】
以上説明した本実施形態によれば、次の効果を奏することができる。
【００４９】
（１）本実施形態では、２層記録型の光ディスクＯＤの２つの記録層Ｌ０，Ｌ１のうち、記録層Ｌ１についてのＯＰＣを省略することができ、データ記録の準備に係る起動処理の時間を短縮することができる。
【００５０】
（２）本実施形態では、フォーカスサーチ時のＦＥ信号における両記録層Ｌ０，Ｌ１でのＳカーブの振幅の比（ａ／ｂ）と、ＯＰＣによる記録層Ｌ０の最適記録パワーＯＰ０の測定値とに基づいて記録層Ｌ１の最適記録パワーＯＰ１を算出している。こうしたＦＥ信号における両記録層Ｌ０，Ｌ１のＳカーブの振幅には、両記録層Ｌ０，Ｌ１での集光スポットの中心光強度の偏差を的確に表れる。そのため記録層Ｌ１に対するＯＰＣを省略しているにも拘わらず、比較的高い精度でその最適記録パワーＯＰ１を求めることができる。
【００５１】
なお上記実施形態は、以下のように変更して実施することもできる。
【００５２】
・受光素子１３の構成によっては、集光スポットの中心光強度と光フォーカスサーチでのＦＥ信号の上記Ｓカーブの振幅とが比例関係を示さない場合でも、両記録層Ｌ０，Ｌ１でのＦＥ信号のＳカーブ振幅の偏差から、両記録層Ｌ０，Ｌ１の最適記録パワーの偏差を求め、その求められた偏差及び記録層Ｌ０の最適記録パワーＯＰ０とに基づき記録層Ｌ１の最適記録パワーＯＰ１を算出て求めることはできる。
【００５３】
・上記実施形態では、フォーカスサーチに際してのフォーカッシング誤差の測定を、非点収差法にて行っていたが、例えばスポットサイズ法等の他の測定法にて行うようにしても良い。その場合にも、球面収差等の影響による記録層毎の集光スポットの径の変化の影響は、ＦＥ信号の出力パターンに表れるため、その出力パターンから記録層の最適記録パワーの比を求めることはできる。
【００５４】
・上記実施形態では、フォーカスサーチ時のＦＥ信号に代えて、データ再生時の上記ＲＦ信号に基づいて、上記起動処理での記録層Ｌ１の最適記録パワーＯＰ１の算出を行うよ
うにしても良い。図１２には、記録マーク読み込み時のＲＦ信号の出力態様の一例が示されている。同図に示すように、データ再生時のＲＦ信号からは、記録マークの書き込まれた部分とそうでない部分との反射率等の違いによる受光素子１３の出力電圧の変化に応じた波形が得られる。記録層上の集光スポットの径が拡がれば、受光素子１３の受光面に入射される反射光の光強度が低下するため、データ再生時のＲＦ信号の振幅は小さくなる。そのため、球面収差等により、記録層Ｌ１での集光スポットＳ１が記録層Ｌ０の集光スポットＳ０に対して拡がった状態となると、同図に破線で示される記録層Ｌ１のデータ再生時におけるＲＦ信号波形の振幅ｄは、同図に実線で示される記録層Ｌ０のデータ再生時におけるＲＦ信号波形の振幅ｃに比して小さくなる。こうしたデータ再生時におけるＲＦ信号の波形振幅の記録層Ｌ０，Ｌ１間の偏差から、両記録層Ｌ０，Ｌ１の最適記録パワーＯＰ０，ＯＰ１の偏差を求めることができる。したがって、例えば両記録層でのデータ再生時のＲＦ信号の振幅比（ｃ／ｄ）を求め、その比を記録層Ｌ０の最適記録パワーＯＰ０を乗算して記録層Ｌ１の最適記録パワーＯＰ１を算出して求める等、データ再生時におけるＲＦ信号の出力パターンの記録層毎の偏差に基づいても、上記起動処理での記録層Ｌ１の最適記録パワーＯＰ１の算出は可能である。
【００５５】
・フォーカスサーチ時のＦＥ信号やデータ再生時のＲＦ信号に限らず、球面収差による集光スポットの径の変化の影響で記録層毎の受光素子１３の出力パターンに偏差が表れるのであれば、その出力パターンの偏差を利用して、上記起動処理での記録層Ｌ１の最適記録パワーＯＰ１の算出を行うようにしても良い。
【００５６】
・記録層Ｌ１に対してＯＰＣを実施し、その結果得られた記録層Ｌ１の最適記録パワーＯＰ１と、上記のような受光素子１３の出力パターンの偏差から把握される両記録層Ｌ０，Ｌ１の最適記録パワーの偏差とに基づいて、記録層Ｌ０の最適記録パワーを算出して求めるようにしても良い。
【００５７】
・例えばデータ再生時のエラーレートやジッター等の上記β以外の指標値を用いて、起動処理での上記ＯＰＣにおける記録データの再生結果の評価を行うようにしても良い。
【００５８】
・上記実施形態では、２層記録型の光ディスクＯＤでのデータ記録について説明したが、同様の最適記録パワーの設定態様を、３層以上の記録層を有する光ディスクに適用することも可能である。その場合にも、ＯＰＣにより測定された他の記録層の最適記録パワーと受光素子の出力パターンの偏差を用いて最適記録パワーを算出して求めることで、少なくとも１つの記録層についてのＯＰＣを省略することができる。
【００５９】
・光学式記録装置の構成やその光ピックアップの構成は、図３や図４（ａ）に例示した構成に限らず、適宜変更しても良い。
【００６０】
・光ディスク以外の光学式記録媒体のデータ記録を行う光学式データ記録装置としても、本発明の具現は可能である。要は、反射膜上に形成された複数の記録層を有する光学式記録媒体に対してその記録層にレーザー光を集光させてデータを記録させるとともに、各記録層からの反射光を受光して電気信号に変換して出力する受光素子を備える光学式データ記録装置であれば、上記実施形態と同様又はそれに準じた態様で本発明を適用することができる。
【図面の簡単な説明】
【００６１】
【図１】２層記録型光ディスクの層構造の一例を示す断面図。
【図２】２層記録型光ディスクの記録領域配置の一例を示す図。
【図３】本発明の一実施形態の光学式データ記録装置の構成を示す模式図。
【図４】同光学式データ記録装置について（ａ）その光ピックアップの反射光検出構造及び（ｂ）そのＦＥ信号生成回路の構成を併せ示す図。
【図５】（ａ）〜（ｃ）焦点位置による光学素子上の反射光像の変化態様を示す図。
【図６】焦点位置とＦＥ信号との関係を示すグラフ。
【図７】フォーカスサーチ時のＦＥ信号と焦点位置との関係を示すグラフ。
【図８】集光スポットについて（ａ）その形状と（ｂ）光強度分布とを併せ示す図。
【図９】ＯＰＣにおける記録パワーの設定態様の一例を示すグラフ。
【図１０】同じくＯＰＣにおける記録パワーとベータ値との関係を示すグラフ。
【図１１】同実施形態の光学式データ記録装置に適用される起動処理のフローチャート。
【図１２】データ再生時のＰＦ信号の出力例を示すグラフ。
【符号の説明】
【００６２】
１０…光ピックアップ、１１…レーザー素子、１２…対物レンズ、１３…受光素子、１４…１／４波長板、１５…コリメータレンズ、１６…偏光ビームスプリッタ、１７…円筒レンズ、２０…ＲＦアンプ、２１…コントローラ、２２…レンズ駆動回路、２３…送りモータ、２４…信号処理回路、２５…レーザー駆動回路、ＯＤ…（２層記録型）光ディスク。
【図１】
2005267809.tif 000003
【図２】
2005267809.tif 000004
【図３】
2005267809.tif 000005
【図４】
2005267809.tif 000006
【図５】
2005267809.tif 000007
【図６】
2005267809.tif 000008
【図７】
2005267809.tif 000009
【図８】
2005267809.tif 000010
【図９】
2005267809.tif 000011
【図１０】
2005267809.tif 000012
【図１１】
2005267809.tif 000013
【図１２】
2005267809.tif 000014